(57)【要約】      （修正有）【課題】多数の脱ぎ置きする靴を、場所を取らずに、置くことは不可能だった。又、従来の下駄箱及び靴置き棚などは、運搬が容易では無く、必要な場所に必要分を、短時間で容易に設置することは不可能だった。これらの問題点を解決した簡易組み立て靴掛け具を提供する。【解決手段】靴掛け具本体２の伸縮自在の腕部３の先部位に脱着自在の把手部４を設け、該把手部の胴体左右側部位に、左右均等で棒状の支持部５を対で設け、該各支持部に、同じく棒状の靴一足分を掛け置きする靴掛け部６を、それぞれ片方分ずつ二つ対で設ける。柱部９は、下方先端部位に継棒部９ｂと上方先端部位に収納部９ｃをそれぞれ備えており、該靴掛け具本体と同一の他の靴掛け具本体の柱部の継棒部と、該靴掛け具本体の該柱部の該収納部を、脱着自在で結合させて自在に継増が出来る。これら主要該各部を、組み立て及び分解が自在になる仕様で設けたことを特徴とする簡易組み立て靴掛け具。【選択図】図１
2020185347.tif 000002
【特許請求の範囲】
【請求項１】
靴掛け具本体の伸縮自在の腕部の先部位に脱着自在の把手部を設け、該把手部の胴体左右側面に、左右均等で棒状の支持部を対で設け、該各支持部に、靴一足分の棒状の靴掛け部を、それぞれ片方分ずつ二つ対で設ける。  該靴掛け具本体の土台部に備えた垂直姿勢の基柱部に、前面側の適宣位置に連結部を備えた柱部を、脱着自在で結合させて、該柱部を垂直姿勢にした状態で、該柱部の該連結部に該腕部を脱着自在で結合して、該腕部は、軒のように突き出した先高の緩い傾斜姿勢で設けられている。  該柱部は、下方先端部位に継棒部と上方先端部位に収納部をそれぞれ備えており、該靴掛け具本体と同一の他の靴掛け具本体の柱部の継棒部と、該靴掛け具本体の該柱部の該収納部を、脱着自在で結合させて自在に継増が出来る。  これら主要該各部を、組み立て及び分解が自在になる仕様で設けたことを特徴とする簡易組み立て靴掛け具。
【請求項２】
該各支持部に、靴二足分の片方ずつ四つの該靴掛け部を、それぞれ対で設けたことを特徴とする請求項１に記載の簡易組み立て靴掛け具。
【請求項３】
該柱部の上方先端部位に、該収納部に被せるキャップ部を設けたことを特徴とする請求項１又は請求項２に記載の簡易組み立て靴掛け具。
【請求項４】
該柱部の適宣位置に、垂直姿勢を維持して倒壊を防止する補強部を設けたことを特徴とする請求項１又は請求項２若しくは請求項３に記載の簡易組み立て靴掛け具。
【発明の詳細な説明】
【技術分野】
【０００１】  本発明は、住宅及び各種施設などの玄関、又は地震災害発生後の避難生活所の狭い限られたスペースに、靴の数に合わせて設置する簡易組み立て靴掛け具に関するものである。
【背景技術】
【０００２】  従来、住宅及び各種施設などの玄関、又は地震災害発生後の避難生活所の狭い限られたスペースに、多数の靴を脱ぎ置きする際には、空いているスペースを探して置く、又は廊下にはみ出して置く、若しくは布、又は新聞紙などに包んで重ねて置いていた。  尚、玄関等に置き、場所を取らず、多くの靴を収納できる靴収納具である靴掛けスタンドが知られている（実用新案文献１参照）。
【先行技術文献】
【実用新案文献】
【０００３】
【実用新案文献１】
実開平０５−０１８３２９号広報
【発明の概要】
【発明が解決しようとする課題】
【０００４】  従来、住宅及び各種施設などの玄関、又は地震災害発生後の避難生活所の狭い限られたスペースに、多数の脱ぎ置きする靴を、手間を掛けずに綺麗に整理整頓して、風通しを良くして自然乾燥する状態で、場所を取らずに、置くことは不可能だった。  又、従来の下駄箱及び靴置き棚、及び靴掛けスタンドなどは、運搬が容易では無く、手軽にバッグ又は手提げ袋などに入れて持ち運んで、必要な場所に必要分を、短時間で容易に設置することは不可能だった。  本発明は、以上の問題点を解決する為になされたものである。
【課題を解決するための手段】
【０００５】  靴掛け具本体の伸縮自在の腕部の先部位に脱着自在の把手部を設け、該把手部の胴体左右側部位に、左右均等で棒状の支持部を対で設け、該各支持部に、靴一足分を掛け置きする棒状の靴掛け部を、それぞれ片方分ずつ二つ対で設ける。  該靴掛け具本体の土台部に備えた垂直姿勢の基柱部に、前面側の適宣位置に連結部を備えた柱部を、脱着自在で結合させて、該柱部を垂直姿勢にした状態で、該柱部の該連結部に該腕部を脱着自在で結合して、該腕部は、軒のように突き出した先高の緩い傾斜姿勢で設けられている。  該柱部は、下方先端部位に継棒部と上方先端部位に収納部をそれぞれ備えており、該靴掛け具本体と同一の他の靴掛け具本体の柱部の継棒部と、該靴掛け具本体の該柱部の該収納部を、脱着自在に結合させて自在に継増が出来る。  これら主要該各部を、組み立て及び分解が自在になる仕様で設ける。  以上の構成より成る簡易組み立て靴掛け具。
【発明の効果】
【０００６】  従来不可能とされていた靴置きを、本発明により可能にし、住宅及び各種施設などの玄関、又は地震災害発生後の避難生活所の狭い限られたスペースに、多数の脱ぎ置きする靴を、手間を掛けずに綺麗に整理整頓して、風通しを良くして自然乾燥する状態で、場所を取らずに安心して置くことが出来る。  本発明は、簡単に組み立て分解及び継増減が出来るので、運搬が容易であり、手軽にバッグ又は手提げ袋などに入れて持ち運んで、必要な場所に必要分を、短時間で容易に設置することが出来る。  本発明は、主に臨時的に設置使用に適しているが、勿論、常設使用しても問題は無い。
【図面の簡単な説明】
【０００７】
【図１】本発明の斜視図
【図２】本発明の分解斜視図
【図３】本発明の使用状態を示す斜視図
【図４】本発明の継増状態を示す斜視図
【図５】本発明の設置状態を示す斜視図
【図６】本発明の設置状態を示す斜視図
【発明を実施するための形態】
【０００８】  以下、本発明の実施の形態を説明する。（イ）簡易組み立て靴掛け具（１）は、プラスチック材又は鉄材などの靴掛け具本体（２）の伸縮自在の伸棒部（３ａ）を内蔵した丸棒状の腕部（３）の先部位に脱着自在の把手部（４）を同一合体状に設ける。（ロ）該把手部（４）の胴体左右側面に、左右均等で直角に突き出して水平に延びた丸棒状の支持部（５）を左右対で設ける。（ハ）該各支持部（４）に、該各支持部（５）と同一の丸棒状の靴掛け部（６）を、それぞれ靴（Ｓ）一足分の二つずつを各対で設ける。（ニ）該各靴掛け部（６）は、二本の丸棒が一組であり、二本の丸棒はそれぞれ該腕部（３）と平行状に靴（Ｓ）の踵（Ｋ）の縦幅（８ｃｍ）位に延びた後、針金細工のようにして下方へ直角に曲がって垂直に２ｃｍ位延びた後、二本の丸棒が相対して直角に曲がって、それぞれが水平状に延びて中間点で結合して踵（Ｋ）の横幅（５ｃｍ）位の一本線状になる形状構成で、該各支持部（５）に二組ずつ対で設けている。      尚、サイズは大中小複数から選択出来るものとする。（ホ）該各靴掛け部（６）は、各一組が靴（Ｓ）一足の片方に、つま先（Ｔ）を下方にした垂直姿勢の靴（Ｓ）の踵（Ｋ）内部の左右の側辺と底辺の三辺に当接して、掛け置きする仕様である。（ヘ）該各靴掛け部（６）は、一つ目の下方へ直角に曲げた角の地点を頂点にした、１０度位の傾斜姿勢で設けてある。（ト）該靴掛け具本体（２）の床面に当接載置する平坦な四角、又は円形状の土台部（７）に備えた筒状の垂直姿勢の基柱部（８）は収納部（９ｃ）を備えて設けている。（チ）該基柱部（８）に、前面側の適宣位置（高さ３０ｃｍ位）に連結部（９ａ）を備えた筒状の全長４０ｃｍ位の柱部（９）を、脱着自在で垂直姿勢にして結合する。（リ）該柱部（９）を垂直姿勢にした状態で、該柱部（９）の該連結部（９ａ）に該腕部（３）の後方先端部位を脱着自在で結合して、該腕部（３）は軒のように突き出した先高の緩やかな傾斜姿勢で設けられている。（ヌ）該腕部（３）は、伸縮を自在にする伸棒部（３ａ）を内蔵して備えている。（ル）該柱部（９）は、下方先端部位に継棒部（９ｂ）と上方先端部位に収納部（９ｃ）をそれぞれ備えており、該靴掛け具本体（２）と同一の他の靴掛け具本体（２）の柱部（９）の継棒部（９ｂ）と該靴掛け具本体（２）の該収納部（９ｃ）を、脱着自在に結合させて継増が出来る。      尚、継増は複数可能である。（ヲ）これら該各部を、組み立て及び分解が容易で自在になる仕様で設けている。  本発明は以上のような構造である。  本発明を使用する際は、分解した状態の簡易組み立て靴掛け具（１）の靴掛け具（２）を、設置する住宅及び各種施設などの玄関、又は地震災害発生後の避難生活所に、バッグ又は手提げ袋などに入れるなどして運搬し、設置する場所のスペースと掛け置きする靴の数に合わせて、組み立てる靴掛け具本体（２）の数を決めて、必要分を、それぞれ決められた部位を結合して組み立てて、簡易組み立て靴掛け具（１）を完成させて設置する。  最上段の靴掛け具本体（２）の柱部（９）の収納部（９ｃ）にキャップ部（９ｄ）を被せ、背後に壁がある立地条件であれば、柱部（９）に補強部（９ｅ）を取り付けて壁に接着させて、万���の倒壊防止をする。  設置した簡易組み立て靴掛け具（１）に、脱いだ靴（Ｓ）を掛け置きする際は、空いている手で把手部（４）を摘まみ持って手前に引き、腕部（３）を限界まで引き伸ばして、つま先（Ｔ）を下方に向けた垂直姿勢で表側が手前を向く靴（Ｋ）を通過させ、踵（Ｋ）内側に靴掛け部（６）を差し入れて、踵（Ｋ）を靴掛け部（６）に載置し、靴（Ｓ）を一足ずつ対で連れ掛け置きする。  靴（Ｓ）を掛け置きした後は、把手部（４）を押して、腕部（３）を縮小した元の状態に戻して、作業は終了する。  靴（Ｓ）を履くときは、同じようにして、把手部（４）を手前に引いて、靴（Ｓ）を靴掛け部（６）から外して使用する。  尚、腕部（３）と把手部（４）は同一に緩やかな傾斜姿勢に構成されており、傾斜圧で伸棒部（３ａ）が勝手に可動することを防いでいる。  又、簡易組み立て靴掛け具（１）に掛け置きされた靴（Ｓ）は、つま先（Ｔ）を下方に向けた垂直姿勢で、空中に浮いた状態で保管されるので、効率の良い自然乾燥が望める。
【符号の説明】
【０００９】  １簡易組み立て靴掛け具  ２靴掛け具本体  ３腕部  ４把手部  ５支持部  ６靴掛け部  ７土台部  ８基柱部  ９柱部  ３ａ伸棒部  ９ａ連結部  ９ｂ継棒部  ９ｃ収納部  ９ｄキャップ部  ９ｅ補強部  Ｓ靴  Ｋ踵  Ｔつま先
【図１】
2020185347.tif 000003
【図２】
2020185347.tif 000004
【図３】
2020185347.tif 000005
【図４】
2020185347.tif 000006
【図５】
2020185347.tif 000007
【図６】
2020185347.tif 000008